(57)【要約】【課題】直接または透明或いは半透明で紫外線を通さない外殼を通して紫外線の存在及びその強度を観察することができる紫外線ランプの提供。【解決手段】本発明の紫外線ランプは、紫外線を透過できるランプ体内部に、水銀またはその代替品など電極またはマイクロ波により励起されて紫外線を発生する材料を設置し、さらに電極またはマイクロ波で紫外線を励起し、そのうち、前記ランプ体のいずれかの箇所に紫外線を有色の可視光に転化する指示点を設けて成る。【選択図】図１
2007294388.tif 000002
【特許請求の範囲】
【請求項１】
紫外線ランプであって、紫外線を透過できるランプ体を含み、そのうち、前記ランプ体内に電極またはマイクロ波により励起され紫外線を発する材料を設け、前記ランプ体上に１つまたは１つ以上の紫外線を可視光に転化できる指示点を設けたことを特徴とする、紫外線ランプ。   
【請求項２】
前記ランプ体が管状を呈し、前記指示点が前記管状ランプ体のいずれかの一端近くまたは一端以上の壁面上に設けられたことを特徴とする、請求項１に記載の紫外線ランプ。
【請求項３】
１つまたは１つ以上のランプ体を含み、前記ランプ体が管状を呈し、平行に並べて設置され、前記指示点が前記ランプ体のいずれかの一端近くまたは一端以上の壁面上に設けられたことを特徴とする、請求項１に記載の紫外線ランプ。
【請求項４】
前記ランプ体が管状を呈し、且つ湾曲されて１つまたは１つ以上の円弧状を形成し、前記指示点が前記ランプ体のいずれかの一端近くまたは一端以上の壁面上に設けられたことを特徴とする、請求項１に記載の紫外線ランプ。
【請求項５】
前記指示点が紫外線エネルギーを可視光に転化できる物質を含むことを特徴とする、請求項２乃至４のいずれかに記載の紫外線ランプ。  
【請求項６】
前記指示点が紫外線エネルギーを有色の可視光に転化できる物質を含むことを特徴とする、請求項５に記載の紫外線ランプ。
【請求項７】
前記指示点と前記ランプ体の間に光線を強化できる、或いはスペクトルを調整できる物質を設けたことを特徴とする、請求項２乃至４のいずれかに記載の紫外線ランプ。
【請求項８】
前記紫外線を有色の可視光に転化できる物質が燐または蛍光粉であることを特徴とする、請求項２乃至４のいずれかに記載の紫外線ランプ。
【請求項９】
前記ランプ体壁面上の前記指示点そばに色比較表を設けたことを特徴とする、請求項２乃至４のいずれかに記載の紫外線ランプ。
【請求項１０】
前記ランプ体壁面上の前記指示点上面に前記指示点から発せられる可視光を透過または阻隔する字体或いは符合を設けたことを特徴とする、請求項２乃至４のいずれかに記載の紫外線ランプ。
【発明の詳細な説明】
【技術分野】
【０００１】
本発明は紫外線ランプに関し、詳細には、電極またはマイクロ波を通して紫外線を励起する紫外線ランプに関する。
【背景技術】
【０００２】
現在、一般的な紫外線ランプは通常、紫外線を透過することができるランプ体、水銀及び電極から構成される。外線は不可視光であるため、メーカーが紫外線ランプを生産する過程において、または実際の使用時に生産に当たる従業員や使用者は紫外線の存在を感じることができず、紫外線の強度を知ることなどはさらに不可能である。また、長時間紫外線の照射下にいたり、短時間でも高強度の紫外線の照射を受けたりすると、人に対して有害な影響が発生する。このため、紫外線の存在とその強度を検知することは非常に必要とされていることである。しかしながら、従来技術において紫外線の存在及びその強度を検知するには、外部の高価な計器により測定するしかなく、且つ、使用上及び生産検査または品質検査の過程における操作は手間がかかり不便である。このため、上述の欠点を克服できる紫外線ランプの提供が現在解決の待たれる技術的課題となっている。
【発明の開示】
【発明が解決しようとする課題】
【０００３】
本発明の目的は、直接または透明或いは半透明で紫外線を通さない外殼を通して紫外線の存在及びその強度を観察することができる紫外線ランプを提供することにある。  
【課題を解決するための手段】
【０００４】
本発明の目的は次のように実現される。本発明の紫外線ランプは、紫外線を透過できるランプ体内部に、水銀またはその代替品など電極またはマイクロ波により励起されて紫外線を発生する材料を設置し、さらに電極またはマイクロ波で紫外線を励起し、そのうち、前記ランプ体のいずれかの箇所に紫外線を有色の可視光に転化する指示点を設けて成る。
【０００５】
本発明の紫外線ランプの更なる改善として、前記ランプ体は管状とし、前記指示点は前記管状ランプ体のいずれか一端の近くまたは一端以上の壁面上に設けられる。
【０００６】
本発明の紫外線ランプの更なる改善として、前記紫外線ランプは１つまたは１つ以上の前記ランプ体を含み、前記ランプ体が管状を呈し平行に並べて設置され、前記指示点が前記ランプ体のいずれか一端の近くまたは一端以上の壁面上に設けられる。
【０００７】
本発明の紫外線ランプの更なる改善として、前記ランプ体は管状を呈し、且つ湾曲させて１つまたは１つ以上の円弧状を形成し、前記指示点が前記ランプ体のいずれか一端の近くまたは一端以上の壁面上に設けられる。
【０００８】
本発明の紫外線ランプの更なる改善として、前記ランプ体は管状を呈し、前記管状のランプ体は電極を設けなくてもよく、前記指示点が前記管状のランプ体のあらゆる一端上に設けられる。
【０００９】
本発明の紫外線ランプの更なる改善として、前記紫外線ランプは無電極式の紫外線ランプとすることができる。
【００１０】
本発明の紫外線ランプの更なる改善として、前記無電極式の紫外線ランプは、一本またはそれ以上の紫外線を透過できるランプ体であって、真空にした後、一定量の水銀を注入し封止して成る。
【００１１】
本発明の紫外線ランプの更なる改善として、前記無電極式の紫外線ランプの紫外線は、マイクロ波によりランプ管内の水銀またはその代替物に励起させて発生する。
【００１２】
本発明の紫外線ランプの更なる改善として、前記指示点は紫外線エネルギーを可視光に転化できる物質を含む。
【００１３】
本発明の紫外線ランプの更なる改善として、前記指示点は紫外線エネルギーを有色の可視光に転化できる物質を含む。
【００１４】
本発明の紫外線ランプの更なる改善として、前記指示点と前記ランプ体の間に光線を強化できる、或いはスペクトルを調整できる物質を設けることができる。
【００１５】
本発明の紫外線ランプの更なる改善として、前述の紫外線を有色の可視光に転化できる物質とは燐または蛍光粉とする。
【００１６】
本発明の紫外線ランプの更なる改善として、前記ランプ体表面の前記指示点のそばに色比較表を設ける。
【００１７】
本発明の紫外線ランプの更なる改善として、前記ランプ体表面の前記指示点上面に指示点が発する可視光を透過するまたは阻隔する字体または符号を設ける。
【発明の効果】
【００１８】
従来技術と比較すると、本発明の紫外線ランプのランプ体上には紫外線を有色の可視光に転化する指示点が設けられている。これにより、紫外線ランプが作動されるとき、前記指示点が紫外線を可視光に転化し、この可視光の色調及び強弱を観察することで、直接紫外線の存在及びその強度を観察することができる。        
【発明を実施するための最良の形態】
【００１９】
本発明の構造、装置及びその特徴について認識と理解を促すため、以下、最良の実施例と図面に基づき詳細に説明する。
【００２０】
本発明の紫外線ランプは、紫外線を透過できるランプ体内に、水銀やその代替品など電極またはマイクロ波により励起され紫外線を発する材料を設け、さらに電極またはマイクロ波により紫外線を励起させる。そのうち、前記ランプ体はランプ体壁面上のいずれか一箇所に紫外線を有色の可視光に転化することができる指示点が設けられる。これにより、前記紫外線ランプは、計器を必要とせず直接作動時の紫外線の存在及びその強弱を観察することができる。
【実施例１】
【００２１】
具体的には、図１に本発明の実施例１の紫外線ランプ１０を示す。この紫外線ランプ１０は、管状のランプ体１１及び前記ランプ体１１の相対する両端に設けた接続座部１２を含む。前記接続座部１２と前記ランプ体１１は密封されて接続され、さらに前記ランプ体１１はその内部空間内に設置された電極１２２と、前記電極１２２と電気的に接続され、且つ前記ランプ体１１外部に延伸された導電ピン１２１を含む。且つ、ランプ体１１の相対する両端の壁面にそれぞれ指示点２０が設けられる。これら指示点はランプ体１１の相対する両端に設けられているため、紫外線の利用に大きな影響を与えない。
【実施例２】
【００２２】
図２に本発明の実施例２の紫外線ランプ１０’を示す。前記紫外線ランプ１０’は管状のランプ体１１’及び前記ランプ体１１’の同一の側に設置された共用接続座部１２’を含む。前記接続座部１２’と前記ランプ体１１’は密封されて接続され、さらに各ランプ体１１’内部空間内に設置された電極１２２’と、前記電極１２２’と電気的に接続され、且つ前記各ランプ体１１’外部に延伸された導電ピン１２１’を含む。且つ、各ランプ体１１’の電極１２２’を設けた一端の壁面に指示点２０’が設けられ、他端の端面内側表面上にも指示点２０’が設けられる。これにより、紫外線の利用に大きな影響を与えない。
【実施例３】
【００２３】
図３に本発明の実施例３の紫外線ランプ１０”を示す。前記紫外線ランプ１０”は管状のランプ体１１”及び前記ランプ体１１”一端に設けられた接続座部１２”を含む。前記接続座部１２”と前記ランプ体１１”は密封されて接続され、さらに前記ランプ体１１”の内部空間内に設置された電極１２２”と、前記電極１２２”と電気的に接続され、且つランプ体１１”外部に延伸された導電ピン１２１”を含む。且つ、ランプ体１１”の電極１２２”を設けた一端の壁面上に指示点２０”が設けられる。前記指示点２０”はランプ体１１”の端部壁面上に設けられているため、紫外線の利用に大きな影響を与えない。
【００２４】
以上の実施例において、前記指示点２０、２０’、２０”は蛍光粉など紫外線エネルギーを可視光に転化できる物質から成る。これにより、紫外線ランプ１０、１０’、１０”が作動するとき、前記電極１２２、１２２’、１２２”が励起する紫外線が蛍光粉上に照射され、蛍光粉が強弱の異なる紫外線エネルギーを強度の異なる可視光に転化する。異なる色の蛍光粉で紫外線を異なる色の可視光に転化することができ、これにより発せられる可視光の色調及びその強度から直接ランプ体が発する紫外線の存在及びその強弱を観察することができる。  
【実施例４】
【００２５】
本発明の紫外線ランプのランプ体は、図１から図３に示す管状、或いは図４から図６のその他形状とすることができる。前記管状のランプ体は電極を設けなくてもよく、指示点は前記管状ランプ体のいずれかの一端近くに設けることができる。紫外線ランプは無電極式の紫外線ランプとすることができ、この無電極式の紫外線ランプは、１本またはそれ以上の紫外線を透過できるランプ体を真空にした後、一定量の水銀を注入し封止して成る。本発明の紫外線ランプの紫外線はマイクロ波によりランプ管内の水銀またはその代替物質を励起させ発生することもできる。
【００２６】
本発明の紫外線ランプの指示点は、紫外線エネルギーを有色の可視光に転化することができる物質を含む。
【００２７】
観察効果を強化するため、指示点２０、２０’、２０”とランプ体１１、１１’、１１”内壁または外壁の間に光線を強化またはスペクトルを調整できる物質を塗布または設置してもよい。
【００２８】
紫外線の強度をより直観的に観察できるようにするため、ランプ体１１、１１’、１１”外側表面または内側表面の指示点２０、２０’、２０”のそばに色の濃さを示す色比較表３０、３０’、３０”（図１から図３に示す）を設け、発せられた可視光の色調と前記色比較表３０、３０’、３０”を照らし合わせ、より直観的に紫外線の強度を観察することができる。
【００２９】
以上、各実施例を通して本発明の実施例について説明をしてきたが、本発明の範囲はこれら実施例に制限されず、本発明の構想を逸脱しない条件下で以上の各部材及びその構造は、関連技術領域の当業者が知る類似または同等の部材或いは構造で代替することが可能である。
【００３０】
上述のように、本発明の紫外線ランプは紫外線の存在及びその強度の観察を確実に可能にすることができ、実用性と進歩性を備えており、また本発明の構造はこの特許出願以前にいかなる刊行物の掲載または公開使用されたことがなく、本発明の構造は特許出願の要件を満たしているため、法に基づきここに特許を出願するものである。
【図面の簡単な説明】
【００３１】
【図１】本発明の実施例１の紫外線ランプの立体図である。
【図２】本発明の実施例２の紫外線ランプの立体図である。
【図３】本発明の実施例３の紫外線ランプの立体図である。
【図４】本発明の実施例４の紫外線ランプの立体斜視図である。
【図５】本発明の実施例５の紫外線ランプの正面図である。
【図６−１】本発明の実施例６の紫外線ランプの立体斜視図である。
【図６−２】本発明の実施例６の紫外線ランプの立体斜視図である。
【図６−３】本発明の実施例６の紫外線ランプの立体斜視図である。
【符号の説明】
【００３２】
１０、１０’、１０”      紫外線ランプ    
１１、１１’、１１”      ランプ体
１２、１２’、１２”      接続座部      
２０、２０’、２０”      指示点
３０、３０’、３０”     色比較表  
１２１、１２１’、１２１”    導電ピン
１２２、１２２’、１２２”    電極
【図１】
2007294388.tif 000003
【図２】
2007294388.tif 000004
【図３】
2007294388.tif 000005
【図４】
2007294388.tif 000006
【図５】
2007294388.tif 000007
【図６−１】
2007294388.tif 000008
【図６−２】
2007294388.tif 000009
【図６−３】
2007294388.tif 000010